(57)【要約】【課題】意図しない中途半端な位置で改ページされ印刷結果が見難くなるのを防止して、簡単に見易い印刷結果を得ることができる印刷装置を提供すること。【解決手段】  受信した原稿データが示す原稿画像の全部が、印刷しようとする記録用紙に収まらないような場合には、その原稿画像を図６（ａ）に示すＬＣＤ１６の右側に表示し、ＬＣＤ１６上でユーザが指示したカーソルＫＹの位置で原稿画像の改ページ位置が設定され、その設定された改ページ位置で原稿画像が分割されて、図６（ｂ）に示すように、１ページ分の原稿画像のうち、上半分の文章で構成された原稿画像が１枚目の記録用紙（Ａ４）に印刷され、下半分の写真などの画像で構成された原稿画像が２枚目の記録用紙（Ａ４）に印刷される。よって、意図しない中途半端な位置で改ページされ印刷結果が見難くなるのを防止して、簡単に見易い印刷結果を得ることができる。【選択図】図６
2010109741.tif 000002
【特許請求の範囲】
【請求項１】
印刷用紙に印刷される画像を示す印刷データを受信する受信手段を備え、その受信手段によって受信した印刷データが示す画像を印刷する印刷装置において、
前記印刷データが示す画像が印刷しようとする印刷用紙の片面の範囲を超えているかを判断する判断手段と、
その判断手段によって超えていると判断した場合に前記印刷データが示す画像の少なくとも一部を表示する第１表示手段と、
その第１表示手段によって表示されている画像を分割する位置を示す改ページ位置を設定する設定手段と、
その設定手段によって設定された改ページ位置で前記印刷データが示す画像を複数の画像に分割し、その分割された複数の画像の各々である分割画像を、前記印刷用紙の他の面、または、他の印刷用紙に印刷させる印刷制御手段とを備えていることを特徴とする印刷装置。
【請求項２】
前記分割画像を縮小または拡大する縮小拡大手段を備えていることを特徴とする請求項１に記載の印刷装置。
【請求項３】
前記縮小拡大手段は、前記分割画像を、その分割画像を印刷しようとする印刷用紙の大きさに合わせて縮小または拡大することを特徴とする請求項２に記載の印刷装置。
【請求項４】
前記設定手段は、前記第１表示手段によって表示されている画像の縦方向と横方向との少なくとも一方向に前記改ページ位置を設定することを特徴とする請求項１から３のいずれかに記載の印刷装置。
【請求項５】
前記分割画像、または、前記縮小拡大手段によって縮小または拡大された前記分割画像が印刷しようとする印刷用紙に印刷された態様を表示する第２表示手段を備えていることを特徴とする請求項１から４のいずれかに記載の印刷装置。
【請求項６】
ファクシミリ機能を備え、
前記受信手段によって受信する印刷データは、送信側装置から送信されるファクシミリデータであることを特徴とする請求項１から５のいずれかに記載の印刷装置。
【発明の詳細な説明】
【技術分野】
【０００１】
本発明は、印刷装置に関するものである。
【背景技術】
【０００２】
従来より、印刷用紙に印刷される画像を示す印刷データを受信し、その受信した印刷データが示す画像を印刷する印刷装置として、例えば、ファクシミリ装置が知られている。このファクシミリ装置では、受信側において用意されている印刷用紙の設定を超える印刷データを受信した場合には、意図しない中途半端な位置で改ページして印刷され、印刷結果が見難くなることがあった。
【０００３】
一方、この種の問題点を解決する技術に関し、例えば、次の特許文献１には、データベースに保存されている情報を、そのまま表示、印刷すると、複数画面、複数ページにまたがって表示、印刷される場合には、その情報を任意の表示サイズ、印刷サイズに縮小したり、再編集して出力する技術が記載されている。
【特許文献１】特開２００２−５６０２９（段落第「０００３」、「０００４」等）
【発明の開示】
【発明が解決しようとする課題】
【０００４】
しかしながら、上述した特許文献１に記載されている技術において、複数画面、複数ページにまたがって表示、印刷される情報を、任意の表示サイズ、印刷サイズに縮小した場合には、出力結果が見難くなるという問題点があった。また、かかる情報を再編集するには、移動させる情報を指定したり、移動先を指定する必要があり、手間が掛るという問題点があった。
【０００５】
本発明は、上述した問題点を解決するためになされたものであり、意図しない中途半端な位置で改ページされ印刷結果が見難くなるのを防止して、簡単に見易い印刷結果を得ることができる印刷装置を提供することを目的としている。
【課題を解決するための手段】
【０００６】
この目的を達成するために、請求項１記載の印刷装置は、印刷用紙に印刷される画像を示す印刷データを受信する受信手段を備え、その受信手段によって受信した印刷データが示す画像を印刷するものであって、前記印刷データが示す画像が印刷しようとする印刷用紙の片面の範囲を超えているかを判断する判断手段と、その判断手段によって超えていると判断した場合に前記印刷データが示す画像の少なくとも一部を表示する第１表示手段と、その第１表示手段によって表示されている画像を分割する位置を示す改ページ位置を設定する設定手段と、その設定手段によって設定された改ページ位置で前記印刷データが示す画像を複数の画像に分割し、その分割された複数の画像の各々である分割画像を、前記印刷用紙の他の面、または、他の印刷用紙に印刷させる印刷制御手段とを備えている。
【０００７】
請求項２記載の印刷装置は、請求項１記載の印刷装置において、前記分割画像を縮小または拡大する縮小拡大手段を備えている。
【０００８】
請求項３記載の印刷装置は、請求項２に記載の印刷装置において、前記縮小拡大手段は、前記分割画像を、その分割画像を印刷しようとする印刷用紙の大きさに合わせて縮小または拡大する。
【０００９】
請求項４記載の印刷装置は、請求項１から３のいずれかに記載の印刷装置において、前記設定手段は、前記第１表示手段によって表示されている画像の縦方向と横方向との少なくとも一方向に前記改ページ位置を設定する。
【００１０】
請求項５記載の印刷装置は、請求項１から４のいずれかに記載の印刷装置において、前記分割画像、または、前記縮小拡大手段によって縮小または拡大された前記分割画像が印刷しようとする印刷用紙に印刷された態様を表示する第２表示手段を備えている。
【００１１】
請求項６記載の印刷装置は、請求項１から５のいずれかに記載の印刷装置において、ファクシミリ機能を備え、前記受信手段によって受信する印刷データは、送信側装置から送信されるファクシミリデータである。
【発明の効果】
【００１２】
請求項１記載の印刷装置によれば、受信手段によって受信した印刷データが示す画像が、印刷しようとする印刷用紙の片面の範囲を超えていると判断手段によって判断された場合には、印刷データが示す画像の少なくとも一部が第１表示手段によって表示され、その表示されている画像を分割する位置を示す改ページ位置が設定手段によって設定される。そして、その設定された改ページ位置で印刷データが示す画像が複数の画像に分割され、その分割された複数の画像の各々である分割画像が、前記印刷用紙の他の面、または、他の印刷用紙に印刷制御手段によって印刷される。よって、意図しない中途半端な位置で改ページされ、印刷結果が見難くなるようなことはなく、改ページ位置を設定するという簡単な操作で見易い印刷結果を得ることができるという効果がある。
【００１３】
請求項２記載の印刷装置によれば、請求項１に記載の印刷装置の奏する効果に加え、分割画像は縮小拡大手段によって縮小または拡大可能に構成されているので、改ページ位置を設定し、元画像を分割しただけでは、依然として印刷しようとする印刷用紙に分割画像が収まらないような場合には、その分割画像が印刷用紙に収まるように分割画像を縮小することで、見易い印刷結果を得ることができるという効果がある。一方、改ページ位置を設定し、元画像を分割した結果、印刷しようとする印刷用紙に対して分割画像が小さく、バランスが悪いような場合には、分割画像を拡大することで、見易い印刷結果を得ることができるという効果がある。
【００１４】
請求項３記載の印刷装置によれば、請求項２に記載の印刷装置の奏する効果に加え、分割画像は、縮小拡大手段によって、その分割画像を印刷しようとする印刷用紙の大きさに合わせて縮小または拡大されるので、簡単に見易い印刷結果を得ることができるという効果がある。
【００１５】
請求項４記載の印刷装置によれば、請求項１から３のいずれかに記載の印刷装置の奏する効果に加え、改ページ位置は表示されている画像の縦方向と横方向との少なくとも一方向に設定されるので、例えば、再編集する場合のような複雑な設定をする必要はなく、改ページ位置を設定するという簡単な操作で、見易い印刷結果を得ることができるという効果がある。
【００１６】
請求項５記載の印刷装置によれば、請求項１から４のいずれかに記載の印刷装置の奏する効果に加え、分割画像、または、縮小または拡大された分割画像は、印刷しようとする印刷用紙に印刷された態様で第２表示手段によって表示されるので、印刷後の態様を確認した上で、各分割画像を印刷用紙に印刷することができるという効果がある。
【００１７】
請求項６記載の印刷装置によれば、請求項１から５のいずれかに記載の印刷装置の奏する効果に加え、ファクシミリ機能を備え、受信手段によって受信する印刷データは、送信側装置から送信されるファクシミリデータなので、例えば、受信した印刷データがユーザがアプリケーションによって作成したものであれば、もとのデータを加工すれば良いが、ファクシミリデータは、もとのデータを加工することができるような資質のデータではないので、そのファクシミリデータの改ページ位置を設定できるということは特に有効である。
【発明を実施するための最良の形態】
【００１８】
以下、本発明の好ましい実施形態について、添付図面を参照して説明する。図１は、本発明の印刷装置の一例である多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示した斜視図である。ＭＦＰ１は、電話回線網１００（図２参照）を介して接続される相手側装置２００（図２参照）とファクシミリ通信可能に構成されている。また、このＭＦＰ１は、プリンタ機能、スキャナ機能、及び、コピー機能などの各種機能も有している。
【００１９】
ファクシミリ通信では、１ページ以上の原稿画像により構成される原稿データが、相手側装置２００との間で送信または受信される。この原稿データにおける各ページの原稿画像に応じた記録用紙の用紙サイズ（以下、「原稿サイズ」と称する）は、送信側の装置において決定され、Ａ４サイズや、リーガルサイズや、Ｂ４サイズや、Ａ３サイズなどの各種類がある。
【００２０】
本実施形態のＭＦＰ１は、特に、相手側装置２００（図２参照）から送信されてくる原稿データを受信した場合に、その原稿データを構成する何れかのページの原稿サイズが、記録用紙の用紙サイズよりも大きければ、ユーザが指示するページの原稿画像を、ユーザが指示する位置で改ページして記録用紙に印刷することで、中途半端な位置で改ページされ、印刷結果が見難くなるのを簡単に防止することができるものである。
【００２１】
ＭＦＰ１の本体の前面には、開口部５が設けられ内部が上下に仕切られている。開口部５の下側には、複数枚の記録用紙を積層収納可能な給紙カセット３が挿入されている。給紙カセット３は、Ａ４サイズ等にカットされた記録用紙が収納可能に構成されている。開口部５の上側は記録済みの記録用紙が排紙される排紙部４となっている。
【００２２】
本体の内部には、ＣＰＵ１１（図２参照）からの指示に基づいて、所定の給紙位置（不図示）にセットされた記録用紙への記録を行うためのインクジェット方式のプリンタ２１が内蔵されている。プリンタ２１は、記録用紙を搬送する記録用紙搬送用モータ（不図示）と、記録用紙へインクを吐出する印字ヘッド（不図示）と、その印字ヘッドを搭載したキャリッジ（不図示）を移動させるキャリッジモータ（不図示）とを有している。
【００２３】
開口部５の上部には、ファクシミリ機能やスキャナ機能やコピー機能の実行時に、原稿を読み取るためのスキャナ２０が配置されている。このスキャナ２０では、Ａ４サイズやＢ４サイズや、Ａ３サイズなどの原稿を読み取ることができる。
【００２４】
原稿カバー体８の前方には、横長形状の操作パネル６が設けられており、操作キー１５、ＬＣＤ１６とを具備する。操作キー１５には、サイズ調整印刷ボタン１５ａと、通常印刷ボタン１５ｂと、十字ボタン１５ｃと、印刷ページ選択ボタン１５ｄと、Ｙボタン１５ｅと、Ｎボタン１５ｆとに加え、数字キーなどの各種ボタンが設けられている。
【００２５】
サイズ調整印刷ボタン１５ａは、原稿データの原稿画像をページ単位で印刷する場合に、各ページの原稿画像が記録用紙全体に印刷されるように、原稿画像の画像サイズを記録用紙の用紙サイズに拡大または縮小して印刷することを指示するためのボタンである。
【００２６】
通常印刷ボタン１５ｂは、原稿データの原稿画像をページ単位で印刷する場合に、各ページの原稿画像を拡大および縮小をすることなく、そのまま記録用紙に印刷することを指示するためのボタンである。
【００２７】
十字ボタン１５ｃは、後述するＬＣＤ１６に表示されるカーソルＫＸ，ＫＹ（図６参照）を、画面上の縦方向や横方向に移動させるためのボタンである。より具体的には、十字ボタン１５ｃの上下方向のボタンが押下されると、カーソルＫＹが画面上の上下方向に移動し、左右方向のボタンが押下されると、カーソルＫＸが画面上の左右方向に移動する。
【００２８】
印刷ページ選択ボタン１５ｄは、原稿データの原稿画像を印刷する場合に、原稿データを構成する各ページの原稿画像の中で、どのページの原稿画像を印刷するかを選択するためのボタンである。
【００２９】
Ｙボタン１５ｅおよびＮボタン１５ｆは、後述するページ印刷処理（図４（ｂ）参照）において、原稿データを構成する各ページの原稿画像の中から、印刷するページの原稿画像を決定するために使用されるボタンである。また、印刷するページの原稿画像を記録用紙の用紙サイズに合わせて拡大または縮小するかを決定するためにも使用されるボタンである。
【００３０】
また、Ｙボタン１５ｅは、後述するＬＣＤ１６に表示されたカーソルＫＸ，ＫＹの表示位置で、ＬＣＤ１６に表示されている原稿画像の改ページ位置を確定する（決定する）ためのボタンでもある。
【００３１】
詳細については後述するが、ユーザは、十字ボタン１５ｃを操作して、カーソルＫＸ，ＫＹを画面上の縦方向や横方向に移動させ、その後、Ｙボタン１５ｅを押下することによって、原稿データの原稿画像を、カーソルＫＸ，ＫＹが指示する位置で分割（改ページ）できる。
【００３２】
また、操作者は、操作キー１５の各種キーを押下することで、例えば、電源のオン／オフや、各機能の切り替えなどの操作を行うことができる。
【００３３】
ＬＣＤ１６には、受信した原稿データの原稿画像や、メニューや、操作手順や、実行中の処理の状態が表示される。また、操作キー１５の押下に対応する情報が表示される。例えば、相手側装置２００のＦＡＸ番号や、受信した原稿データの原稿枚数などの各種情報が表示される。
【００３４】
次に、図２を参照して、ＭＦＰ１の電気的構成について説明する。図２は、ＭＦＰ１の電気的構成を示すブロック図である。図２に示すように、ＭＦＰ１は、ＣＰＵ１１、ＲＯＭ１２、ＲＡＭ１３、操作キー１５、ＬＣＤ１６、スキャナ２０、プリンタ２１、モデム２３、及び、ＮＣＵ２４を主に有している。
【００３５】
ＣＰＵ１１、ＲＯＭ１２、及び、ＲＡＭ１３は、バスライン２６を介して互いに接続されている。また、操作キー１５、ＬＣＤ１６、スキャナ２０、プリンタ２１、モデム２３、ＮＣＵ２４、及び、バスライン２６は、入出力ポート２７を介して互いに接続されている。また、モデム２３とＮＣＵ２４とは互いに接続されている。
【００３６】
ＣＰＵ１１は、ＲＯＭ１２やＲＡＭ１３に記憶される固定値やプログラムに従って、ＭＦＰ１が有している各機能の制御や、入出力ポート２７と接続された各部を制御するものである。ＲＯＭ１２は、ＭＦＰ１で実行される制御プログラムなどを格納した書換不能なメモリである。後述する図３のフローチャートに示す原稿出力処理、図４（ａ）のフローチャートに示す改ページ位置設定処理、及び、図４（ｂ）のフローチャートに示すページ印刷処理を実行する各プログラムは、このＲＯＭ１２に格納されている。
【００３７】
ＲＡＭ１３は、書換可能な揮発性のメモリであり、ＭＦＰ１の各操作の実行時に各種のデータを一時的に記憶するためのメモリである。ＲＡＭ１３には、受信原稿データメモリ１３ａが設けられている。受信原稿データメモリ１３ａは、相手側装置２００から送信されてくる原稿データを受信した場合に、その受信した原稿データを記憶するためのメモリである。
【００３８】
モデム２３は、ファクシミリ機能によって送信する原稿データを、電話回線網１００に伝送可能な信号に変調してＮＣＵ２４を介して送信したり、電話回線網１００からＮＣＵ２４を介して入力された信号を受信し、ＬＣＤ１６に表示したりプリンタ２１で記録用紙に記録できるように画像データへ復調するものである。ＮＣＵ２４は、電話回線網１００と接続されており、電話回線網１００へのダイヤル信号の送出や、電話回線網１００からの呼出信号の応答などの制御を行うものである。
【００３９】
次に、図３を参照して、ＭＦＰ１のＣＰＵ１１により実行される原稿出力処理について説明する。図３は、ＭＦＰ１の原稿出力処理を示すフローチャートである。この原稿出力処理は、受信した原稿データの原稿画像を印刷するための処理であり、相手側装置２００から送信されてくる原稿データの受信を完了する度に実行される処理である。なお、受信した原稿データは、ＲＡＭ１３の受信原稿データメモリ１３ａに記憶される。
【００４０】
原稿出力処理では、まず、受信した原稿データの各ページのうち、何れかのページの原稿サイズが記録用紙の用紙サイズより大きいかを判定する（Ｓ１）。何れかのページの原稿サイズが、記録用紙の用紙サイズ以下である場合は（Ｓ１：Ｎｏ）、各ページの原稿画像を１ページ分ずつ、拡大や縮小などせずにそのまま記録用紙に印刷し、全ページの印刷を行う（Ｓ２）。そして、全ページの印刷が終了したら、この原稿出力処理を終了する。
【００４１】
一方、受信した原稿データの各ページのうち、何れかのページの原稿サイズが記録用紙の用紙サイズより大きい場合は（Ｓ１：Ｙｅｓ）、変数ｉに１を設定すると共に、受信した原稿データの総ページ数を変数Ｎに設定して、各変数を初期化する（Ｓ３）。なお、この原稿出力処理の実行中に新たな原稿データを受信した場合は、一旦、その新たに受信した原稿データを受信原稿データメモリ１３ａに追加して記憶しておく。そして、実行中の原稿出力処理が終了したら（原稿データの原稿画像の印刷が終了したら）、新たに受信した原稿データの原稿画像を印刷するために、続けて原稿出力処理を実行する。
【００４２】
次に、原稿データのｉページ目の原稿画像と、そのｉページ目の原稿画像の改ページ位置を示すカーソルＫＸ，ＫＹとをＬＣＤ１６に表示する（Ｓ４）。なお、上述した通り、このカーソルＫＸ，ＫＹは、十字ボタン１５ｃの操作に応じて、画面上の縦方向や横方向に移動する。
【００４３】
そして、通常印刷ボタン１５ｂが押下されたかを判定し（Ｓ５）、通常印刷ボタンが１５ｂが押下された場合は（Ｓ５：Ｙｅｓ）、Ｓ２の処理へ移行し、各ページの原稿画像を１ページ分ずつ、拡大や縮小などせずにそのまま記録用紙に印刷し、全ページの印刷を行う。
【００４４】
例えば、受信した原稿データの１ページ分の原稿画像が、記録用紙の用紙サイズよりも大きければ、その１ページ分の原稿画像が、複数の記録用紙に分割されて印刷される。また、受信した原稿データの１ページ分の原稿画像が、記録用紙の用紙サイズよりも小さければ、そのまま記録用紙に記録される。そして、全ページの印刷が終了したら、この原稿出力処理を終了する。
【００４５】
Ｓ５の処理において、通常印刷ボタン１５ｂが押下されていない場合は（Ｓ５：Ｎｏ）、サイズ調整印刷ボタン１５ａが押下されたかを判定する（Ｓ６）。サイズ調整印刷ボタン１５ａが押下された場合は（Ｓ６：Ｙｅｓ）、各ページの原稿画像を１ページ分ずつ、記録用紙の用紙サイズに合うように拡大または縮小して印刷し、全ページの印刷を行う（Ｓ７）。
【００４６】
例えば、受信した原稿データの１ページ分の原稿画像が、記録用紙の用紙サイズよりも大きければ、その１ページ分の原稿画像が、記録用紙の用紙サイズとなるように縮小されて、記録用紙に印刷される。また、受信した原稿データの１ページ分の原稿画像が、記録用紙の用紙サイズよりも小さければ、その１ページ分の原稿画像が、記録用紙の用紙サイズとなるように拡大されて、記録用紙に印刷される。そして、全ページの印刷が終了したら、この原稿出力処理を終了する。
【００４７】
ここで、図５（ａ），（ｂ）を参照して、Ｓ２やＳ７の処理によって印刷される記録用紙の印刷結果の一例について説明する。図５（ａ）は、原稿サイズがリーガルサイズである原稿データを受信し、そのリーガルサイズの１ページ分の原稿画像を、縮小せずにそのままＡ４サイズの記録用紙に印刷した場合の印刷結果の一例を示すイメージ図である。一方、図５（ｂ）は、原稿サイズがリーガルサイズである原稿データを受信し、そのリーガルサイズの１ページ分の原稿画像を、記録用紙の用紙サイズに縮小してＡ４サイズの記録用紙に印刷した場合の印刷結果の一例を示すイメージ図である。
【００４８】
ここで、ＭＦＰ１の給紙カセット３には、Ａ４サイズの記録用紙のみが収納されており、その状態で、原稿サイズがリーガルサイズである原稿データを受信したとする。周知の通り、リーガルサイズは、Ａ４サイズよりも大きい（特に縦方向は約６０ｍｍも長い）ので、リーガルサイズの１ページ分の原稿画像は、Ａ４サイズの記録用紙１枚に収まらない。よって、例えば、リーガルサイズの１ページ分の原稿画像は、Ａ４サイズの記録用紙２枚に分割されて印刷されるか、Ａ４サイズの記録用紙１枚に収まるように全体が縮小されて印刷されることになる。
【００４９】
例えば、Ｓ７の処理が実行され、リーガルサイズの１ページ分の原稿画像が、縮小されずにそのままＡ４サイズの記録用紙に印刷されると、図５（ａ）に示すように、原稿画像が２枚の記録用紙に分割されて印刷される。より具体的には、リーガルサイズの原稿データが受信されると、１ページ目の原稿画像の先端からページ順に、最終ページの原稿画像の後端に達するまで、原稿画像がＡ４サイズの記録用紙に収まる最大サイズの大きさとなるように、それぞれ分割される。そして、分割された原稿画像は順番に、Ａ４サイズの記録用紙に印刷される。
【００５０】
このように、原稿データの原稿サイズが、記録用紙の用紙サイズより大きい場合（リーガルサイズ＞Ａ４サイズ）でも、原稿データの原稿画像が記録用紙に印刷されるので、ユーザは原稿の内容を確認できる。しなしながら、原稿の内容が前触れもなく分割されて印刷されることがあり、その場合、ユーザは原稿の内容が読みづらくなり、内容を理解するのに労力を要することになる。
【００５１】
具体的には、原稿において、横書きの文字が途中で水平に分割されたり、写真などの画像が途中で水平に分割され、分割された文字や画像がそれぞれ異なるページに印刷された場合（図５（ａ）参照）には、ユーザは原稿の内容が非常に読みづらくなる。
【００５２】
一方、例えば、Ｓ２の処理が実行され、リーガルサイズの１ページ分の原稿画像が、記録用紙１枚に収まるように全体が縮小され、Ａ４サイズの記録用紙に印刷されると、図５（ｂ）に示すように印刷される。この場合も、原稿データの原稿画像が記録用紙に印刷されるので、ユーザは原稿の内容を確認することができる。しなしながら、原稿画像の縮小率が大きくなるほど、原稿の文字や写真などの画像が小さくなるので、ユーザは原稿の内容が読みづらくなり、内容を理解するのに労力を要することになる。
【００５３】
ここで、図３のフローチャートの説明に戻る。Ｓ６の処理において、サイズ調整印刷ボタン１５ａが押下されていない場合は（Ｓ６：Ｎｏ）、十字ボタン１５ｃの上下方向ボタンや左右方向ボタンが押下されたかを判定する（Ｓ８）。十字ボタン１５ｃが押下された場合は（Ｓ８：Ｙｅｓ）、十字ボタン１５ｃの押下に応じて、カーソルＫＸ，ＫＹの表示位置を移動させると共に、変数ｉの値を「１≦ｉ≦Ｎ」の範囲で更新する（Ｓ９）。
【００５４】
例えば、ｉ＝１であれば、図６（ａ）に示すように、ＬＣＤ１６には、原稿データの１ページ目の原稿画像が表示されると共に、カーソルＫＸ，ＫＹがカーソルバーＫＢＸ，ＫＢＹ上にそれぞれ表示される。なお、カーソルバーＫＢＸは、原稿画像の水平方向に沿って設けられており、カーソルバーＫＢＹは、原稿画像の垂直方向に沿って設けられている。
【００５５】
この状態で、十字ボタン１５ｃの下方向ボタンが押下され続けると、カーソルＫＹは、カーソルバーＫＢＸ上を画面の下方向に移動し続け、カーソルＫＹがカーソルバーＫＢＹの下端に達する。すると、変数ｉに１が加算され、その結果、１ページ目の原稿画像の表示がクリアされ、次のページ（２ページ目）の原稿画像がＬＣＤ１６に表示されると共に、カーソルＫＹがカーソルバーＫＢＹの上端に表示される。一方、十字ボタン１５ｃの右方向ボタンが押下され続けると、カーソルＫＸは、カーソルバーＫＢＸ上を画面の右方向に移動し続け、カーソルＫＸがカーソルバーＫＢＸの右端に達する。すると、カーソルＫＸはそこで移動を停止する。
【００５６】
Ｓ８の処理において、十字ボタン１５ｃが押下されていない場合は（Ｓ８：Ｎｏ）、Ｓ９の処理をスキップして、Ｓ１０の処理に移行する。Ｓ１０の処理では、改ページ位置設定処理を実行する（Ｓ１０）。なお、詳細については後述するが（図４（ａ）参照）、改ページ位置設定処理は、ユーザにより改ページ位置が決定された場合に、各カーソルＫＸ，ＫＹにより指示された改ページ位置で、原稿データの原稿画像を改ページするための処理である。
【００５７】
Ｓ１０の改ページ位置設定処理が終了したら、次に、印刷ページ選択ボタン１５ｄが押下されたか否かを判定する（Ｓ１１）。印刷ページ選択ボタン１５ｄが押下されていない場合は（Ｓ１１：Ｎｏ）、Ｓ４の処理に戻り、上述したＳ４〜Ｓ１１の各処理を繰り返す。一方、印刷ページ選択ボタンが１５ｄが押下された場合は（Ｓ１１：Ｙｅｓ）、ページ印刷処理を実行して（Ｓ１２）、この原稿出力処理を終了する。なお、詳細については後述するが（図４（ｂ）参照）、ページ印刷処理は、原稿データを構成する各ページの中で、ユーザにより選択されたページだけを印刷するための処理である。
【００５８】
次に、図４（ａ）を参照して、ＭＦＰ１のＣＰＵ１１により実行される改ページ位置設定処理（Ｓ１０）について説明する。図４（ａ）は、ＭＦＰ１の改ページ位置設定処理（Ｓ１０）を示すフローチャートである。
【００５９】
この改ページ位置設定処理は、ユーザにより改ページ位置が決定された場合に、各カーソルＫＸ，ＫＹにより指示された改ページ位置で、原稿データの原稿画像を分割し、その分割した画像毎に改ページするための処理である。
【００６０】
改ページ位置設定処理では、まず、Ｙボタン１５ｅが押下され、ユーザにより改ページ位置が決定されたかを判定する（Ｓ２１）。なお、ここでは、ｉページ目の原稿画像がＬＣＤ１６に表示されているので、Ｙボタン１５ｅが押下されると、そのｉページ目の原稿画像の改ページ位置が、各カーソルＫＸ，ＫＹにより決定される。
【００６１】
Ｓ２１の処理において、ユーザにより改ページ位置が決定されていない場合は（Ｓ２１：Ｎｏ）、Ｓ２２〜Ｓ２４の処理をスキップして、この改ページ位置設定処理を終了する。一方、ユーザにより改ページ位置が決定された場合は（Ｓ２１：Ｙｅｓ）、ＬＣＤ１６に表示されている各カーソルＫＸ，ＫＹの表示位置を取得し、その取得した各カーソルＫＸ，ＫＹの表示位置に対応するｉページ目の原稿画像の改ページ位置を、各カーソルＫＸ，ＫＹについてそれぞれ取得する（Ｓ２２）。
【００６２】
次に、原稿データにおいて、ｉページ目の原稿画像をカーソルＫＸにより指示された改ページ位置で水平方向に分割し、また、ｉページ目の原稿画像をカーソルＫＹにより指示された改ページ位置で垂直方向に分割する（Ｓ２３）。そして、原稿画像の分割により増えたページ数を、変数Ｎに加算し（Ｓ２４）、この改ページ位置設定処理を終了する。この改ページ位置設定処理により、ユーザの意図する位置で画像を分割し、その分割した画像毎に改ページさせることができるのである。
【００６３】
次に、図４（ｂ）を参照して、ＭＦＰ１のＣＰＵ１１により実行されるページ印刷選択処理（Ｓ１２）について説明する。図４（ｂ）は、ＭＦＰ１のページ印刷処理（Ｓ１２）を示すフローチャートである。このページ印刷処理は、原稿データを構成する各ページの中で、ユーザにより選択されたページだけを印刷するための処理である。
【００６４】
ページ印刷処理では、まず、変数ｊを１に設定して初期化する（Ｓ３１）。次に、原稿データのｊページ目の原稿画像をＬＣＤ１６に表示すると共に、「このページを印刷しますか？」とＬＣＤ１６に表示する（Ｓ３２）。
【００６５】
なお、ここでＬＣＤ１６に表示される原稿画像は、上述した改ページ位置設定処理（図４（ａ）参照）において、原稿画像が水平方向または垂直方向に分割された後の原稿データにおける原稿画像が、ページ単位で表示される。例えば、上述した改ページ位置設定処理において、受信した原稿データの１ページ目の原稿画像が水平方向に２つに分割され、２ページに分けられた場合は、まず始めに、分けられた１ページ目の原稿画像がＬＣＤ１６に表示される。なお、分割されていない場合は、そのまま１ページ分の原稿画像がＬＣＤ１６に表示される。
【００６６】
そして、Ｙボタン１５ｅが押下されたかを判定し（Ｓ３３）、Ｙボタン１５ｅが押下された場合は（Ｓ３３：Ｙｅｓ）、「用紙サイズに合わせて印刷しますか？」とＬＣＤ１６に表示する（Ｓ３４）。一方、Ｎボタン１５ｆが押下された場合は（Ｓ３３：Ｎｏ）、Ｓ３４〜Ｓ３７の処理をスキップし、Ｓ３８の処理に移行する。
【００６７】
次に、Ｙボタン１５ｅが押下されたかを判定し（Ｓ３５）、Ｙボタン１５ｅが押下された場合は（Ｓ３５：Ｙｅｓ）、ｊページ目の原稿画像を、記録用紙の用紙サイズに合うように拡大または縮小して印刷する（Ｓ３６）。一方、Ｎボタン１５ｆが押下された場合は（Ｓ３５：Ｎｏ）、ｊページ目の原稿画像を、拡大や縮小などせずにそのまま記録用紙に印刷する（Ｓ３７）。
【００６８】
そして、変数ｊに１を加算し（Ｓ３８）、変数ｊの値が、変数Ｎの値以下であるかを判定する（Ｓ３９）。変数ｊの値が、変数Ｎの値以下である場合は（Ｓ３９：Ｙｅｓ）、まだ全てのページの原稿画像をＬＣＤ１６に表示しておらず、印刷が途中であるので、Ｓ３２の処理に戻り、上述したＳ３２〜Ｓ３９の各処理を繰り返す。
【００６９】
一方、変数ｊの値が、変数Ｎの値を超えている場合は（Ｓ３９：Ｎｏ）、全てのページの原稿画像をＬＣＤ１６に表示し、印刷が終了しているので、このページ印刷選択処理を終了する。このページ印刷処理により、原稿データを構成する各ページの中で、ユーザにより選択されたページだけをユーザが所望する大きさに拡大、縮小して印刷することができるのである。
【００７０】
次に、図６および図７を参照して、ＬＣＤ１６上でカーソルＫＸ，ＫＹにより指示される原稿画像上の改ページ位置の一例と、その改ページ位置で原稿画像が改ページされ印刷された場合の印刷結果の一例とについて説明する。図６（ａ）は、原稿サイズがリーガルサイズである原稿データの１ページ目の原稿画像と、カーソルＫＸ，ＫＹとが表示されているＬＣＤ１６の表示一例を示すイメージ図である。図６（ｂ）は、原稿データの原稿画像を水平方向にのみ改ページして記録用紙に印刷した場合の一例を示すイメージ図である。
【００７１】
図６（ａ）に示すように、ＬＣＤ１６の右半分には、１ページ分の原稿画像と、カーソルＫＸ，ＫＹと、カーソルバーＫＢＸ，ＫＢＹとが表示されている。なお、この１ページ分の原稿画像は、上半分が文章で構成され、下半分が写真などの画像で構成されているものとする。
【００７２】
一方、ＬＣＤ１６の左半分には、ＬＣＤ１６の右半分に表示されている原稿画像の原稿サイズが「原稿サイズ：リーガル」と表示され、その下方には、「カーソルを操作して改ページ位置を入力して下さい。」と表示されている。
【００７３】
上述した通り、この状態で、ユーザにより十字ボタン１５ｃが押下されると、その十字ボタン１５ｃの押下に応じて、カーソルＫＸ，ＫＹが画面のカーソルバーＫＢＸ，ＫＢＹ上を移動する。
【００７４】
例えば、カーソルＫＸがカーソルバーＫＢＸの左端に位置し、カーソルＫＹがカーソルバーＫＢＹの中間に位置している状態で、ユーザによりＹボタン１５ｅが押下されると、ＬＣＤ１６上で原稿画像がカーソルＫＹの表示位置で水平方向に２分割されて表示されている通りに、実際の原稿データの原稿画像が、水平方向に２分割され（改ページされ）、原稿データのページ数が１ページ増加する。なお、カーソルＫＸの表示位置は、カーソルバーＫＢＸの左端に位置しているので、原稿画像は、垂直方向には分割されない。
【００７５】
その後、原稿データの原稿画像を印刷した場合、分割された２つの原稿画像はそれぞれ異なるページの画像であるので、それぞれ別の記録用紙に印刷される。即ち、ＬＣＤ１６上でユーザが指示したカーソルＫＹの位置で原稿画像が改ページされ印刷される。具体的には、図６（ｂ）に示すように、１ページ分の原稿画像のうち、上半分の文章で構成された原稿画像が１枚目の記録用紙（Ａ４）に印刷され、下半分の写真などの画像で構成された原稿画像が２枚目の記録用紙（Ａ４）に印刷される。
【００７６】
よって、この場合には、原稿において、横書きの文字が途中で水平に分割されたり、写真などの画像が途中で水平に分割され、分割された文字や画像がそれぞれ異なるページに印刷されること（図５（ａ）参照）が抑制できるので、ユーザは原稿の内容を容易に読むことができる。従って、ユーザが意図しない位置で原稿が改ページされることを抑制できるので、記録用紙に印刷された原稿の内容を見易くできる。
【００７７】
次に、図７について説明する。図６では、１ページ分の原稿画像を水平方向に分割した場合の一例について説明した。図７では、１ページ分の原稿画像を水平方向および垂直方向にそれぞれ分割する場合の一例について説明する。
【００７８】
図７（ａ）は、原稿サイズがＢ４サイズである原稿データの１ページ目の原稿画像と、カーソルＫＸ，ＫＹとが表示されているＬＣＤ１６の表示一例を示すイメージ図である。図７（ｂ）は、原稿データの原稿画像を水平方向および垂直方向にそれぞれ改ページして記録用紙に印刷した場合の一例を示すイメージ図である。
【００７９】
図７（ａ）に示すように、ＬＣＤ１６の右半分には、図６（ａ）の場合と同様に、１ページ分の原稿画像と、カーソルＫＸ，ＫＹと、カーソルバーＫＢＸ，ＫＢＹとが表示されている。
【００８０】
一方、ＬＣＤ１６の左半分には、ＬＣＤ１６の右半分に表示している原稿画像の原稿サイズが「原稿サイズ：Ｂ４」と表示され、その下方には、「カーソルを操作して改ページ位置を入力して下さい。」と表示されている。
【００８１】
なお、ＬＣＤ１６に表示されている１ページ分の原稿画像は、１ページを上下左右に均等に分けた４つの領域にそれぞれ画像が配置されているものとし、左上の領域には画像Ａが配置され、以後同様に、右上の領域には画像Ｂが、左下の領域には画像Ｃが、右下の領域には画像Ｄがそれぞれ配置されているものとする。
【００８２】
この状態で、ユーザにより十字ボタン１５ｃが押下され、カーソルＫＸ，ＫＹがカーソルバーＫＢＸ，ＫＢＹ上を移動し、カーソルＫＸがカーソルバーＫＢＸの中間に位置し、カーソルＫＹがカーソルバーＫＢＹの中間に位置し、その後、ユーザによりＹボタン１５ｅが押下されたとする。
【００８３】
すると、ＬＣＤ１６上で原稿画像がカーソルＫＹの表示位置で水平方向に２分割されて表示されている通りに、実際の原稿データの原稿画像が、水平方向に２分割され（改ページされ）、原稿データのページ数が１ページ増加する。さらに、ＬＣＤ１６上で原稿画像がカーソルＫＸの表示位置で垂直方向に２分割されて表示されている通りに、実際の原稿データの原稿画像が、垂直方向にも２分割され（改ページされ）、原稿データのページ数が２ページ増加する。
【００８４】
その後、原稿データの原稿画像を印刷する場合に、その分割された４つの原稿画像のうち、１〜２枚目を拡大や縮小などせずそのまま記録用紙に印刷するよう設定し、３〜４枚目を記録用紙の用紙サイズに合うように拡大して記録用紙に印刷するよう設定する。
【００８５】
その結果、図７（ｂ）に示すように、１ページ分の原稿画像のうち、左上の領域の画像Ａが１枚目の記録用紙（Ａ４）にそのまま印刷され、そして、右上の領域の画像Ｂが２枚目の記録用紙（Ａ４）にそのまま印刷される。続けて、左下の領域の画像Ｃが３枚目の記録用紙の用紙サイズに合うように拡大されて印刷され、右下の領域の画像Ｄが４枚目の記録用紙の用紙サイズに合うように拡大されて印刷される。
【００８６】
よって、原稿において、横書きの文字が途中で水平に分割されたり、写真などの画像が途中で水平に分割され、分割された文字や画像がそれぞれ異なるページに印刷されること（図５（ａ）参照）を抑制できる。また、分割された原稿画像を拡大して記録用紙に印刷できるので、原稿画像が緻密な場合などに、分割された原稿画像を見易くできる。
【００８７】
また、受信した原稿データの原稿サイズが、記録用紙の用紙サイズより大幅に大きい場合（例えば、原稿サイズがＡ３、用紙サイズがＡ４）には、ユーザが、その原稿データの原稿画像を幾つかに分割したとしても、分割した原稿画像が記録用紙の用紙サイズに収まらないことがある（例えば、分割した原稿サイズがＢ４、用紙サイズがＡ３）。このような場合でも、分割された原稿画像を、１枚の記録用紙の用紙サイズに合うように縮小して印刷できるので、分割された原稿画像を見易くできる。
【００８８】
よって、ユーザは原稿の内容を容易に読むことができる。従って、ユーザが意図しない位置で原稿が改ページされることを抑制できるので、記録用紙に印刷された原稿の内容を見易くできる。
【００８９】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９０】
例えば、本実施形態では、原稿画像の分割を指示するカーソルＫＸ，ＫＹをＬＣＤ１６上に１つずつ表示させているが、カーソルＫＸを２個以上表示させて、１ページ分の原稿画像を垂直方向に２以上分割できるように構成しても良いし、カーソルＫＹを２個以上表示させて、１ページ分の原稿画像を水平方向に２以上分割できるように構成しても良いし、それぞれ組み合わせた構成としても良い。
【００９１】
これにより、１ページ分の原稿画像をより４個以上に分割することができるので、受信した原稿データの原稿サイズが、記録用紙の用紙サイズより大幅に大きい場合（例えば、原稿サイズがＡ３、用紙サイズがＡ４）に、分割した原稿画像を、記録用紙の用紙サイズに収めることが容易となる。よって、原稿画像を分割したにも関わらず、その分割した原稿画像が記録用紙の用紙サイズより大きくなり、ユーザが意図しない位置で原稿が改ページされることを抑制できる。
【００９２】
また、本実施形態では、原稿データを受信した場合に、受信した原稿データの原稿画像をＬＣＤ１６に表示させているが、原稿データの原稿サイズが、記録用紙の用紙サイズより大きい場合にだけ、受信した原稿データの原稿画像をＬＣＤ１６に表示させる構成としても良い。これにより、原稿の途中で改ページが起きない場合には原稿画像がＬＣＤ１６に表示されず、１ページ分の原稿画像が、１枚の記録用紙に収まらない場合にのみ、原稿画像がＬＣＤ１６に表示されて、ユーザの指示により分割されることになる。よって、ユーザの操作の手間を軽減できる。
【００９３】
また、本実施形態では、原稿データの受信を完了してから、受信した原稿データの原稿画像をＬＣＤ１６に表示するよう構成したが、原稿データの受信中に、受信が完了したページの原稿画像から順に、ＬＣＤ１６に表示させるように構成しても良い。
【００９４】
また、本実施形態では、原稿データの受信を完了した場合に、原稿出力処理（図３参照）を実行するように構成したが、受信した原稿データは全てＲＡＭ１３に蓄積（記憶）させておき、ユーザやパーソナルコンピュータから原稿データの印刷要求が入力された場合に、指示された原稿データを印刷するために、原稿出力処理を実行するように構成しても良い。これにより、ユーザが所望する原稿データを優先的に記録用紙に印刷することができるので、ユーザの使い勝手を良くできる。
【図面の簡単な説明】
【００９５】
【図１】本発明の印刷装置の一例であるＭＦＰの外観構成を示した斜視図である。
【図２】ＭＦＰの電気的構成を示すブロック図である。
【図３】ＭＦＰの原稿出力処理を示すフローチャートである。
【図４】（ａ）は、ＭＦＰの改ページ位置設定処理を示すフローチャートであり、（ｂ）は、ＭＦＰのページ印刷処理を示すフローチャートである。
【図５】（ａ）は、リーガルサイズの原稿データの原稿画像を、そのままＡ４サイズの記録用紙に印刷した場合の一例を示すイメージ図であり、（ｂ）は、リーガルサイズの原稿データの原稿画像を、縮小してＡ４サイズの記録用紙に印刷した場合の一例を示すイメージ図である。
【図６】（ａ）は、ＬＣＤの表示の一例を示すイメージ図であり、（ｂ）は、原稿データの原稿画像を水平方向にのみ改ページして記録用紙に印刷した場合の一例を示すイメージ図である。
【図７】（ａ）は、ＬＣＤの表示の一例を示すイメージ図であり、（ｂ）は、原稿データの原稿画像を水平方向および垂直方向にそれぞれ改ページして記録用紙に印刷した場合の一例を示すイメージ図である。
【符号の説明】
【００９６】
１                ＭＦＰ（印刷装置の一例）
２３              ＮＣＵ（受信手段の一例）
Ｓ１              判断手段の一例
Ｓ４              第１表示手段の一例
Ｓ２２            設定手段の一例
Ｓ２３            印刷制御手段の一例
Ｓ３２            第２表示手段の一例
Ｓ３６            縮小拡大手段の一例
【図１】
2010109741.tif 000003
【図２】
2010109741.tif 000004
【図３】
2010109741.tif 000005
【図４】
2010109741.tif 000006
【図５】
2010109741.tif 000007
【図６】
2010109741.tif 000008
【図７】
2010109741.tif 000009